(57)【要約】  【課題】  【解決手段】パッティングの練習キット（１０）と、ゴルフボール（１２）の方向付け、パター（７５）の方向付け、パター（７５）をゴルフボール（１２）にスクエアに戻す練習を行うための練習方法である。このキット（１０）は、平面のレーザビームまたは光（２９）を生成するレーザゴルフボール（７０）を具える。レーザゴルフボール（７０）の外側面にはレーザ（２１）と整列する中心線（３８）がプリントされている。このレーザ（２１）はゴルファーが選択的にその出力を制御するための制御スイッチ（３２）、オプションのタイマ（４０）、バッテリ（３４）に接続されている。【選択図】図１
2007513735.tif 000002
【特許請求の範囲】
【請求項１】
ａ．組込型の平面レーザビーム生成手段とボールの外側表面に形成された基準線とを具え、前記基準線が前記レーザビーム生成手段が生成するレーザビームに縦に整列するレーザゴルフボールと；
ｂ．前記レーザビーム生成手段の出力を制御する手段と；
ｃ．パッティンググリーン上で前記レーザゴルフボールを持ち上げた状態で保持するスタンドとを具えることを特徴とするパター練習キット。
【請求項２】
請求項１に記載のパター練習キットにおいて、前記レーザビーム生成手段が、レーザ生成ダイオードであることを特徴とするパター練習キット。
【請求項３】
請求項１に記載のパター練習キットにおいて、前記レーザビーム生成手段が、レーザ生成ダイオードの上に搭載され平面レーザビームを生成するプリズムを具えることを特徴とするパター練習キット。
【請求項４】
請求項１に記載のパター練習キットにおいて、前記レーザビーム生成手段の出力を制御する手段が、前記レーザビーム生成手段に電気的に接続された制御スイッチとバッテリとを具える外部制御ボックスであることを特徴とするパター練習キット。
【請求項５】
請求項４に記載のパター練習キットにおいて、前記レーザビーム生成手段が、レーザ生成ダイオードであることを特徴とするパター練習キット。
【請求項６】
請求項１に記載のパター練習キットにおいて、前記レーザビーム生成手段の出力を制御する手段が、前記レーザビーム生成手段に電気的に接続された制御スイッチとバッテリとを具え前記レーザゴルフボール内に搭載されていることを特徴とするパター練習キット。
【請求項７】
請求項６に記載のパター練習キットにおいて、前記レーザビーム生成手段が、レーザ生成ダイオードであることを特徴とするパター練習キット。
【請求項８】
請求項７に記載のパター練習キットにおいて、前記レーザビーム生成手段が、前記レーザ生成ダイオードの上に搭載され平面レーザビームを生成するプリズムを具えることを特徴とするパター練習キット。
【請求項９】
ゴルフボールの方向付けを練習する方法であって；
ａ．組込型の平面レーザビーム生成手段とボールの外側表面に形成された基準線とを具え、前記基準線が前記レーザビーム生成手段が生成するレーザビームに縦に整列するレーザゴルフボールを選択するステップと；
ｂ．前記レーザゴルフボールをパッティングエリアに配置するステップと；
ｃ．前記基準線を目視で所望のターゲットラインに方向付けするステップと；
ｄ．前記レーザ生成手段を駆動して基準線が前記ターゲットラインに正しく方向付けされているかを確認するステップとを具えることを特徴とする方法。
【請求項１０】
パターを方向付けし、パターヘッドがゴルフボールに当たる際にスクエアとなっているかを確認する練習方法であって；
ａ．組込型の平面レーザビーム生成手段とボールの外側表面に形成された基準線とを具え、前記基準線が前記レーザビーム生成手段が生成するレーザビームに縦に整列するレーザゴルフボールを選択するステップと；
ｂ．前記レーザゴルフボールをパッティングエリアの後ろに持ち上げた位置に配置するステップと；
ｃ．前記パッティングエリアにゴルフボールを配置するステップと；
ｄ．前記レーザ生成手段を駆動して、前記レーザビームが前記ゴルフボールの頂部と前記ゴルフボールからカップへのターゲットラインとを照らすように方向付けするステップと；
ｅ．前記ゴルフボールをパットし、前記照射されたターゲットラインに対するゴルフボールの軌跡と、前記パターが前記ボールに当たる瞬間に前記レーザビームで照らされたパターの領域とを見るステップとを具えることを特徴とする方法。
【発明の詳細な説明】
【技術分野】
【０００１】
本発明は、ゴルフボールのパッティングの練習器具及び方法に関し、特に、プレイヤーがボールとパターを正しく方向付けするのに役立ち、ボールに当たるときにパターがスクエアに戻っているかを確認できる器具及び方法に関する。
【背景技術】
【０００２】
近年、ラージワイドヘッドのパターが人気を博している。多くのパターの上面には、ヘッドの中心軸に重なりフロントフェースに直角な基準線がプリントされており、パターを正しく方向付けできるようになっている。
【０００３】
パッティングの際に、ゴルファーはボールをカップに狙って向ける。通常、このゴルファーはボール表面に基準センターラインが印刷されたボールを用い、これをカップのターゲットラインと縦に整列させる。通常、ゴルファーはパットの直前に地面の上でボールを手で回転させこの基準線がターゲットラインに縦に整列するようにする。あるゴルファーは基準線の方向付けをボールのほぼ真上に立って行い、別のゴルファーは基準線の方向付けをボールのすぐ後ろに立って行う。ゴルフボールの基準線がターゲットラインに正しく整列したら、ゴルファーはその後、パターをこの基準線に直角に向けてボールの上で構える。
【０００４】
パッティングを正しく行うには、ゴルファーはゴルフボール上またはパター上の基準線を利用して、パターを所望のターゲットラインに正しく向けることが必要である。パターがボールに当たるとき、パターのフェースはターゲットラインと直角をなすべきである。多くの運動と同じく、ボールを目標に向ける動作、パターをターゲットに向ける動作、パターを振る動作、そしてパターヘッドをスクエアポジションでボールに当てることは、数百時間の練習を必要とする。これらの課題を習熟するには、ゴルファーは継続的にパッティングの仕方を見て、必要に応じて調整を加えていくことにより、望みの結果を得ることができる。
【０００５】
必要なのは、ユーザが彼または彼女自身のパターを用いて、ボールの位置決め、パターの位置決め、パターヘッドがボールのスクエアポジションに戻ってくることを練習できるパッティング練習キットと練習方法である。
【発明の開示】
【発明が解決しようとする課題】
【０００６】
本発明の目的の一つは、ユーザがボールの方向付け、パターの方向付け、パターヘッドがスクエアポジションに戻ることを練習できるようにしたパッティング練習キットおよび練習方法を提供することである。
【０００７】
本発明の別の目的は、ゴルファーの好みのパターを用いて自宅あるいは標準的なパッティンググリーンで簡単に利用できるようにした上記のキットまたは方法を提供することである。
【課題を解決するための手段】
【０００８】
これらの及び他の本発明の目的はここに開示する、規定の大きさのゴルフボール本体の内側に設けられた組込型のレーザー生成手段を用いるレーザーゴルフボールを用いたキット及び練習方法に沿ったものである。このレーザー生成手段はゴルフボール本体内に位置決めされており、ゴルフボール本体の中心軸に縦に整列したレーザビームの平面的な光が生じるようになっている。このゴルフボールの外側表面にはこのレーザビームと縦に重なる基準中心線が印刷されている。レーザ生成手段は制御スイッチと、オプショナルタイマと、バッテリとに接続されており、ゴルファーは選択的にその動作を制御することができる。好適な実施例では、制御スイッチ、タイマ、バッテリはゴルフボール本体と電気的に接続された制御ボックス内に設けられる。第２実施例では、制御スイッチ、タイマ、バッテリは、ゴルフボール本体内に設けられる。ゴルファーはゴルフボール本体の基準線をターゲットラインに向ける練習をし、レーザ発生手段を用いてこの狙いが正確であるかを確かめる。
【０００９】
このキットはまた、ゴルフボール本体をゴルファーの後ろで持ち上げた状態に保持するスタンドを備える。使用にあたり、標準規格のゴルフボールをゴルファーの前に置く。前記スタンドとゴルフボール本体をこの規格ボールの後ろに配置し、ゴルフボールに方向付けすると、レーザビームがボールの上面、パターの上面、及びターゲットラインを照らし出す。ゴルファーはゴルフボールの軌跡と、パターを振る際のパターヘッド上面のレーザビームの位置とを見て、パターが正しく目標に向けてスクエアポジションに戻っているかを確認することができる。
【発明を実施するための最良の形態】
【００１０】
図面を参照すると、全体を符号１０で示すゴルフパッティングキットが示されており、これはレーザビーム生成手段２０が組み込まれたレーザゴルフボール１２を具えている。ゴルフボール１０の側部には、図３に示すように基準中心線３８が印刷あるいは形成されている。好適な実施例において、レーザビーム生成手段２０は、ゴルフボール本体１３または１３’の内側に形成された中央配列ボア２２内にマウントされたレーザ生成ダイオード２１である。レーザ生成ダイオード２１の上にはレーザ反射プリズム２６が設けられており、符号２９で示すような垂直方向に配向した平面的なレーザビームが出力される。
【００１１】
平面レーザビーム２９は、レーザゴルフボールからターゲットまで射出光の「線」が形成されるため、ピンポイントのレーザビームより好適である。レーザビーム２９は垂直方向に配向しており、このためゴルフボール本体１３または１３’の中心線と斜めに整列する連続的な線が生成される。このレーザビーム２９の射程内にゴルフボールまたはパターを配置すると、レーザビーム２９の一部がゴルフボール７０及びパター７５の表面に現れる。通常、スタンド１５を用いてレーザゴルフボール１２を少し持ち上げて、レーザビーム２９が下側にも照射され地面にレーザビーム２９によるパスが線引きされるようにする。
【００１２】
使用中は、レーザゴルフボール１２または１２’は目標に向けて方向付けされ、照射されるレーザビーム２９がゴルフボール７０から目標とするターゲットへ延びている。プレイヤーは、ゴルフボール７０からターゲットへ延びる目に見える基準線の存在により、ゴルフボールを打った場合に、プレイヤーはターゲットラインに対するボールの軌道を確認することができる。
【００１３】
図１及び図３に示すレーザゴルフボール１２の第１実施例では、レーザ生成ダイオード２１は制御ボックス３０内の制御スイッチ３２とバッテリ３４とに有線３６あるいは無線通信手段で電気的に接続されている。制御ボックス３０内には、オプションでレーザビーム２９をいつ・どの長さで動作させるかをゴルファーが変更できるタイマ４０が設けられている。
【００１４】
図２に示す第２実施例のレーザゴルフボール１２’では、レーザ生成ダイオード２１、制御スイッチ３２、バッテリ３４、タイマ４０がすべて規格サイズのゴルフボール本体１３’内に搭載されている。
【００１５】
このキット１０はまた、レーザゴルフボール１２または１２’をパッティンググリーンから１〜２インチ持ち上げた状態で保持するスタンド１５を具える。好適な実施例において、スタンド１５は３本の脚部１６，１７，１８を具え、三角形のベース１９に取り付けられている。上述したように、このキットを用いてパターの方向付けとパターをスクエアポジションに戻す練習をする際、レーザゴルフボール１２または１２’はスタンド１５上に配置される。
【００１６】
ボールの方向付け
このキット１０を用いてゴルフボール７０の方向付けを練習する場合、ユーザはゴルフボール１２または１２’の上または後ろに立ちボールを回転させ、基準線３８が図３に示すようにターゲットライン５５と縦に整列するようにする。ゴルファーがボールの方向付けを終えたら、レーザ生成ダイオード２１を駆動して照明ビーム２９を発生させる。レーザゴルフボール１２の基準線３８がターゲットライン５５に正しく方向付けされている場合、レーザビーム２９は所望のターゲットライン５５を照らす。基準線３８が正しく方向付けされていない場合、ゴルファーはレーザゴルフボール１２の向きがおかしいことがすぐ分かり、調整を行う。この訓練を繰り返すことにより、ゴルファーは、ボールの上あるいは後ろに立ってボールをターゲットライン５５に方向付けすることを少しずつ習熟することができる。
【００１７】
パターの方向付け
上述したように、キット１０はまた、パター７５をターゲット５５に正しく方向付け、パター７５を規格のゴルフボール７０にスクエアに構えるのに用いられる。パター７５のターゲット５５への方向付けを練習するには、パッティングに用いる規格ゴルフボール７０の後側でレーザゴルフボール１２または１２’を持ち上げスタンド１５上に配置する。レーザゴルフボール１２または１２’を回転させ、レーザビーム２９が同様にターゲットライン５５に向き、パター７５をゴルフボール７０へ振るときに基準線７６を照らすようにする。ゴルフボール７０をパッティングエリアに置きレーザビーム２９に整列するようにすると、レーザビーム２９がゴルフボール７０とパター７５の基準線７６を２等分する。
【００１８】
パターがスクエアか否かの判定
パッティングする際、レーザゴルフボール１２または１２’はスタンド１５上に置かれ、レーザビーム２９がパター７５の上を通り、図４に示すようにゴルフボール７０の頂部を照らす。このレーザビーム２９がパター７５上面の基準線７６に整列しているかを見ることにより、ゴルファーはパター７５がインパクト時にゴルフボール７０にスクエアかを確認することができる。
【００１９】
オプションで、タイマ４０がレーザ生成ダイオード２１に接続されており、ゴルファーが使用中に選択的にレーザビーム２９の出力を制御できるようにしている。例えば、ある例ではレーザビーム２９を連続的に出力させることが望ましく、この場合はターゲットライン５５は常に照らされている。別の例では、レーザ生成ダイオード２１を間欠的に動作させることが望ましく、この場合レーザビーム２９は打つにあたって瞬間的に不連続となり、ゴルファーは特定の方向を見るのに正しく目を鍛えることができる。
【００２０】
上述のキットを用いることにより、ゴルフボールを方向付けする練習方法が提供され、これは以下のステップを具える；
ａ．組込型の平面レーザビーム生成手段２０とボールの外側表面に形成された基準線３８とを具え、前記基準線は前記レーザビーム生成手段２０が生成するレーザビーム２９と縦に整列するレーザゴルフボール１２を選択するステップと；
ｂ．前記レーザゴルフボール１２をパッティングエリアに配置するステップと；
ｃ．前記基準線３８を目視で所望のターゲットライン５５に方向付けするステップと；
ｄ．前記レーザ生成手段を動作させ、基準線３８が前記ターゲットライン５５に正しく方向付けされているかを確認するステップ。
【００２１】
上述のキットを用いることにより、パターの方向付けとパターヘッドが打つときにゴルフボールに対してスクエアかを確認する練習方法が提供され、これは以下のステップを具える；
ａ．組込型の平面レーザビーム生成手段２０とボールの外側表面に形成された基準線３８とを具え、前記基準線は前記レーザビーム生成手段２０が生成するレーザビーム２９と縦に整列するレーザゴルフボール１２を選択するステップと；
ｂ．前記レーザゴルフボール１２をパッティングエリアの後ろで持ち上げた位置に配置するステップと；
ｃ．前記パッティングエリアにゴルフボール７０を配置するステップと；
ｄ．前記レーザビーム生成手段を動作させて方向付けを行い、レーザビーム２９を前記ゴルフボール７０の頂部と当該ゴルフボールからカップまでのターゲットラインに照射するステップと；
ｅ．パター７５で前記ゴルフボール７０をパットし、前記照射されたターゲットライン５５に対するゴルフボール７０の軌跡を見て、レーザがパター７５の基準線３８と整列していたか、パター７５がゴルフボール７０に当たる瞬間に前記レーザビーム２９で照らされたパターの領域と整列していたかを確認するステップ。
【００２２】
規則に準じて、本発明をここにその構造的な特徴についてより多くあるいは少ない言語で説明した。しかしながら、本発明は図示した特定の特徴のものに限るものではなく、図示する手段や構造は、本発明を実証する単なる好適な実施例を示すに過ぎないと理解されたい。本発明は、それ故、均等の原則の下に適切に解釈される補正クレームの合法的で有効な範囲内の様々な形態またはその変形例として主張される。
【００２３】
産業上の利用分野
本発明は、ゴルフ産業で利用可能である。
【図面の簡単な説明】
【００２４】
【図１】図１は、ここに開示するパッティング練習キットの側面図であり、レーザゴルフボールの第１実施例を示す図である。
【図２】図２は、レーザゴルフボールの第２実施例の部分側面図である。
【図３】図３は、第１実施例のレーザゴルフボールの平面図であり、レーザビームとゴルフボール本体の基準線の整列状態を示す図である。
【図４】図４は、パターを規格ボールの横においた図であり、レーザゴルフボールが発するレーザビームがパターと規格ボールの基準線上に延びている状態を示す図である。
【図１】
2007513735.tif 000003
【図２】
2007513735.tif 000004
【図３】
2007513735.tif 000005
【図４】
2007513735.tif 000006
【国際調査報告】
2007513735.tif 000007